(57)【要約】【課題】スーパーマーケット等の店舗において清算や袋詰めといった作業のさらなる効率化を図り、買い物をスムーズに行うことができる店舗システム及びそれに好適に用いることができるショッピングカート等を提供する。【解決手段】ショッピングカート５０は、商品に付された無線タグ内に情報を無線により一括して読み取って支払い金額を積算することができる店舗システムに利用可能なものであり、枠状に形成された上フレーム１０を備え、そのフレームには、レジ袋などを広げた状態で掛けることが可能な一対のアーム３８（袋掛けラックＲＡ）が設けられている。これにより、客は、この袋掛けラックＲＡに掛けられたレジ袋等を買い物カゴ代わりに利用し、スムーズな買い物を行うことが可能となる。【選択図】図２
2007323453.tif 000002
【特許請求の範囲】
【請求項１】
店舗内で客が購入する商品を入れて運ぶショッピングカート及び／又はカゴと、
前記商品に取り付けられ、その商品に関する商品識別情報を記憶する無線タグと、
複数の前記商品の前記商品識別情報を、無線により一括して読み取って支払い金額を積算するレジスタと、を備えた店舗システムであって、
前記ショッピングカート及び／又はカゴには、包装袋を広げた状態で掛ける袋掛けラックが付設されており、
前記レジスタが、複数の前記商品が前記包装袋内に入れられたままの状態で、前記商品識別情報の読み取りを行うことを特徴とする店舗システム。
【請求項２】
店舗内で客が購入する商品を入れて運ぶショッピングカートであって、
包装袋を広げた状態で掛ける袋掛けラックが付設されていることを特徴とするショッピングカート。
【請求項３】
前記包装袋が、店舗で配布されるポリエチレン製の袋（レジ袋という）であって、未広げ状態の該レジ袋が多数枚重ねられた袋重ね合わせ体として前記袋掛けラックに掛けられ、該袋重ね合わせ体の一番手前側の袋を前記袋掛けラックに沿って引っ張ることにより該袋が広がることを特徴とする、請求項２に記載のショッピングカート。
【請求項４】
前記袋掛けラックが、
袋重ね合わせ体の両側部にそれぞれ挿通される一対のアームと、該袋重ね合わせ体の中央部に掛かるフックとを有することを特徴とする、請求項２又は３に記載のショッピングカート。
【請求項５】
さらに、
客が持ち込む袋・バッグ（マイバッグという）を広げた状態で掛けるマイバッグラックを備えることを特徴とする、請求項２〜４のいずれか１項に記載のショッピングカート。
【請求項６】
枠状に形成された上フレームと、
該上フレームに取り付けられた手押し部と、
前記上フレームに取り付けられ、包装袋が広げた状態で掛けられる袋掛けラックと、を備えるショッピングカートであって、
該袋掛けラックが、前記包装袋の両側部にそれぞれ挿通される一対のアームと、前記包装袋の中央部に掛かるフックとを有し、
前記包装袋が、店舗で配布されるポリエチレン製の袋（レジ袋という）であって、未広げ状態の該レジ袋が多数枚重ねられた袋重ね合わせ体として前記袋掛けラックに掛けられ、該袋重ね合わせ体の一番手前側の袋を前記アームに沿って引っ張ることにより該袋が広がることを特徴とするショッピングカート。
【請求項７】
ショッピングカートの前方側の位置と、前記手押し部側の位置とのそれぞれに前記袋掛けラックが１つずつ設けられ、
前記各袋掛けラックに前記袋重ね合わせ体を掛けることができるように構成されていることを特徴とする、請求項６に記載のショッピングカート。
【請求項８】
店舗内で客が購入する商品を入れて運ぶ買い物カゴであって、
包装袋を広げた状態で掛ける袋掛けラックが付設されていることを特徴とする買い物カゴ。
【請求項９】
底部と、
該底部から立ち上がった周壁と、
該周壁の上縁に設けられた把手と、を備え、
該周壁のうち互いに対向する２つの壁面同士が近接するように折畳み可能とされた折畳み式バッグであって、
一方の前記壁面と前記底部とが交わる稜線とほぼ平行な軸の周りに回動可能に設けられた、比較的高剛性な底板をさらに備えることを特徴とする折畳み式バッグ。
【請求項１０】
請求項９記載の折畳み式バッグが、前記壁面同士を突き合わせるようにして複数個連結された折畳み式バッグであって、
前記各折畳み式バッグの前記底板が、同じ方向に倒れることを特徴とする折畳み式バッグ。
【請求項１１】
ショッピングカートに付設された一対のアームを挿通させるためのフック孔が周壁に形成されていることを特徴とする、請求項１０に記載の折畳み式バッグ。
【請求項１２】
前記底板に替えて、袋の形を規制するための、コ字型の底隅フレームを備えることを特徴とする、請求項９に記載の折畳み式バッグ。
【請求項１３】
底部と、
該底部から立ち上がった周壁と、
該周壁の上縁に設けられた把手と、を備え、
該周壁のうち互いに対向する２つの壁面同士が近接するように、折畳み可能とされた折畳み式バッグであって、
互いに平行をなす一対の立上り部、及び、該立上り部の上端同士を繋ぐ水平部からなり、前記壁面内側にそれぞれ取り付けられた一対のコ字型フレームと、
互いに対向する前記コ字型フレームの前記立上り部の下端同士を連結するヒンジとを備え、
該ヒンジは、その中央部が袋の内側に向かって２つ折りとなることを特徴とする折畳み式バッグ。
【発明の詳細な説明】
【技術分野】
【０００１】
本発明は、スーパーマーケット等の店舗において商品の金額の積算をＲＦＩＤ技術を利用して行う店舗システムに関する。また、該店舗システムに好適に利用可能なショッピングカート、買い物カゴ、及び折畳み式バッグに関する。
【背景技術】
【０００２】
従来、スーパーマーケット等においては、購入する商品の精算時に、一般に次のような作業が行われている。まず、客が商品の入った買い物カゴをレジの置き台に置く。店員はカゴから商品を取り出し、バーコード読み取り装置（スキャナ装置）で商品のバーコードを読み取った後、その商品を別のカゴに入れる。全ての商品の読み取りを行うとレジ装置が購入金額を計算し、客はその金額を支払う。支払い後、客は精算済みの商品が入ったカゴを別の台（サッカー台）に移動させて、そこでレジ袋（あるいは持参したバッグ）に袋詰めする。
【０００３】
一方、近年、ＲＦＩＤ（Radio Frequency Identification）など、物品やカードの識別を非接触で行う技術が発達しつつある。例えば特許文献１には、商品識別情報（値段情報や消費期限情報など）を記憶させた無線タグを商品に取り付け、この無線タグの情報を読み取ることで商品の金額の積算を行うようにしたシステムについて開示されている。こうしたＲＦＩＤ技術による積算を実現した店舗システムが実現できれば、店員が商品を一点一点スキャンしていく必要がないため、レジにおける清算が効率化される。
【０００４】
【特許文献１】特開２００５−１３５１５６号公報
【発明の開示】
【発明が解決しようとする課題】
【０００５】
しかしながら、特許文献１に開示されたような、ＲＦＩＤ技術による商品金額の積算を実現した店舗システムにおいても、清算を済ませた後に、商品を買い物カゴからレジ袋（又は持参したバッグ）に詰め替える作業が必要であり、効率化のためには更なる改善の余地が残されている。
【０００６】
本発明はこうした問題点に鑑みてなされたものであって、その目的は、スーパーマーケット等の店舗において清算や袋詰めといった作業のさらなる効率化を図り、買い物をスムーズに行うことができる店舗システムを提供することにある。また、その店舗システムに好適に利用可能なショッピングカート、買い物カゴ、及び折畳み式バッグを提供することにある。
【課題を解決するための手段】
【０００７】
上記課題を解決するための本発明の店舗システムは、店舗内で客が購入する商品を入れて運ぶショッピングカート及び／又はカゴと、前記商品に取り付けられ、その商品に関する商品識別情報を記憶する無線タグと、複数の前記商品の前記商品識別情報を、無線により一括して読み取って支払い金額を積算するレジスタと、を備えた店舗システムであって、前記ショッピングカート及び／又はカゴには、包装袋を広げた状態で掛ける袋掛けラックが付設されており、前記レジスタは、複数の前記商品が前記包装袋内に入れられたままの状態で、前記商品識別情報の読み取りを行うことを特徴とする。
【０００８】
本発明の店舗システムでは、客は、ショッピングカート等に設けられた袋掛けラックに、レジ袋（あるいは持参したマイバッグ）を広げた状態で引っ掛け、その中に購入したい商品を入れていく。ここで、商品の金額の積算はＲＦＩＤ技術により非接触で行われるようになっているため、商品をわざわざ袋から出すことなくこの金額の積算を行うことができる。清算を済ませた後、客は、商品の詰替えをせずに、そのレジ袋やマイバッグをそのまま持ち帰ることが可能である。このような店舗システムでは、清算や袋詰めといった作業が大幅に効率化され、客は買い物をスムーズに行うことができるようになる。
【０００９】
上記本発明の店舗システムに好適に利用可能なのが、本発明に係るショッピングカートである。このショッピングカートは、包装袋を広げた状態で掛ける袋掛けラックが付設されていることを特徴とするものであり、ここに、レジ袋などを広げて引っ掛けることができる。
【００１０】
上記袋掛けラックに引っ掛けられる包装袋として好適なのは、未広げ状態の該レジ袋が多数枚重ねられた袋重ね合わせ体として前記袋掛けラックに掛けられ、該袋重ね合わせ体の一番手前側の袋を前記袋掛けラックに沿って引っ張ることにより該袋が広がるものである。これによれば、包装袋が予め袋掛けラックに掛けられているため、客あるいは店員がレジ袋などをわざわざ袋掛けラックに取り付ける必要がない。
【００１１】
前記袋掛けラックの具体的な構成は、袋重ね合わせ体の両側部にそれぞれ挿通される一対のアームと、該袋重ね合わせ体の中央部に掛かるフックとを有するものとすることができる。
【００１２】
上記本発明のショッピングカートには、客が持ち込む袋・バッグ（マイバッグという）を広げた状態で掛けるマイバッグラックが設けられていてもよい。これにより、客は持参したマイバッグをこのラックに広げて引っ掛け、それを買い物カゴ代わりに利用することができるため、省資源・環境負担低減という時代ニーズに対応できる。
【００１３】
上記本発明のショッピングカートは、より具体的には、枠状に形成された上フレームと、該上フレームに取り付けられた手押し部と、前記上フレームに取り付けられ、包装袋が広げた状態で掛けられる袋掛けラックと、を備えるショッピングカートであって、該袋掛けラックが、前記包装袋の両側部にそれぞれ挿通される一対のアームと、前記包装袋の中央部に掛かるフックとを有し、前記包装袋が、店舗で配布されるポリエチレン製の袋（レジ袋という）であって、未広げ状態の該レジ袋が多数枚重ねられた袋重ね合わせ体として前記袋掛けラックに掛けられ、該袋重ね合わせ体の一番手前側の袋を前記アームに沿って引っ張ることにより該袋が広がるように構成されたものであってもよい。
【００１４】
また、ショッピングカートの前方側の位置と、前記手押し部側の位置とのそれぞれに前記袋掛けラックが１つずつ設けられ、前記各袋掛けラックに前記袋重ね合わせ体を掛けることができるように構成されていてもよい。このような構成によれば、多量の商品を複数の袋に分けて入れる、あるいは、商品を種類別に（例えば商品の温度や硬さを基準として）別々の袋に入れる、というニーズに対応することができる。
【００１５】
本発明は買い物カゴにも適用可能であり、該買い物カゴは、客が店舗内で購入する商品を入れて運ぶ買い物カゴであって、包装袋を広げた状態で掛ける袋掛けラックが付設されていることを特徴とする。上述したように、本発明の店舗システムでは商品の金額の積算がＲＦＩＤ技術により非接触で行われるようになっているため、このような買い物カゴに引っ掛けられたレジ袋（又はマイバッグ）内から商品をわざわざ出すことなく商品金額の積算を行うことができる。清算を済ませた後、客は、商品の詰替えをせずに、そのレジ袋やマイバッグをそのまま持ち帰ることが可能であるため、清算や袋詰めといった作業が大幅に効率化され、客は買い物をスムーズに行うことができるようになる。
【００１６】
また、上記本発明のショッピングカートに好適に利用することができるのが、本発明の折畳み式バッグであり、該折畳み式バッグは、底部と、該底部から立ち上がった周壁と、該周壁の上縁に設けられた把手と、を備え、該周壁のうち互いに対向する２つの壁面同士が近接するように折畳み可能とされた折畳み式バッグであって、一方の前記壁面と前記底部とが交わる稜線とほぼ平行な軸の周りに回動可能に設けられた、比較的高剛性な底板をさらに備えることを特徴とする。
【００１７】
上記本発明の折畳み式バッグは、前記壁面同士を突き合わせるようにして複数個連結された折畳み式バッグであって、前記各折畳み式バッグの前記底板が、同じ方向に倒れるように構成されたものであってもよい。この折畳み式バッグは、区分けされた複数の収容空間を備えたものである。このように複数の収容空間を備えているため、上記同様、商品を種類別に（例えば商品の温度や硬さを基準として）各収容空間ごとに分けて入れる等のニーズに対応することができる。
【００１８】
また、上記折畳み式バッグは、ショッピングカートに付設された一対のアームを挿通することができるように周壁にフック孔が形成されていてもよい。このフック孔をカート側のアームに引っ掛けて反対側を引っ張ればバッグが開くので使い易い。
【００１９】
また、上記折畳み式バッグは、前記底板に替えて、袋の形を規制するための、コ字型の底隅フレームを備えるものであってもよい。
さらには、底部と、該底部から立ち上がった周壁と、該周壁の上縁に設けられた把手と、を備え、該周壁のうち互いに対向する２つの壁面同士が近接するように、折畳み可能とされた折畳み式バッグであって、互いに平行をなす一対の立上り部、及び、該立上り部の上端同士を繋ぐ水平部からなり、前記壁面内側にそれぞれ取り付けられた一対のコ字型フレームと、互いに対向する前記コ字型フレームの前記立上り部の下端同士を連結するヒンジとを備え、該ヒンジが、その中央部が袋の内側に向かって２つ折りとなるものであってもよい。
【発明の効果】
【００２０】
本発明によれば、上述したように、レジ袋又は客が持参したマイバッグを買い物カゴとして利用することができるため、清算や袋詰めといった作業が大幅に効率化され、買い物をスムーズに行うことができるようになる。
【発明を実施するための形態】
【００２１】
（第１の実施形態）
以下、本発明の実施の形態について図面を参照しながら詳細に説明する。図１は、本発明に係る店舗システムの一例を示す模式図である。
図１に示すように、この店舗システム１は、例えばスーパーマーケット等の店舗内に構成されたものであり、陳列棚８に置かれた無線タグ５ａ付きの商品５と、客がこの商品５を運ぶためのショッピングカート５０と、商品の清算を行うためのレジ部７０とを備えている。なお、ショッピングカート５０に替えて、後述する買い物カゴ（第３の実施形態、図１２参照）を利用することも可能である。
【００２２】
商品５に取り付けられた無線タグ５ａは、ＲＦＩＤタグ、無線ＩＤタグなどとも称されるものであり、図示しないが、コイル状のループアンテナ、それに接続されたＬＳＩチップ、及び商品識別情報を記憶するためのメモリ等から構成されている。「商品識別情報」には、少なくとも、その商品を識別するための識別コードが含まれる。場合によっては、その商品の金額の情報や消費期限に関する情報が含まれていてもよい。
【００２３】
レジ部７０は、レジ台７１に載せられたレジ装置（レジスタ）７２を有している。レジ装置７２は、ショッピングカート５０によって運ばれた複数の商品５の各無線タグ５ａの情報を、無線により一括して読み取るＲＦＩＤリーダ（不図示）と、読み取ったこの情報から積算した積算金額を表示するためのディスプレイとを有している。
【００２４】
レジ装置７２は不図示の記憶手段を有しており、この記憶手段内に、各商品の金額のデータが記憶されている。レジ装置７２は、ＲＦＩＤリーダを介して読み取った商品識別コードに基づいて、この記憶手段内から商品の金額のデータを読み出し、それを積算してディスプレイに表示させる。もっとも、このような構成に限定されるものではない。例えば、商品の金額のデータがネットワーク上のデータベースサーバに記憶されており、レジ装置７２が該データベースサーバ内から金額のデータを読み出して、それを積算するような構成とすることもできる。また、特に限定されるものではないが、このレジ装置７２においては、電子マネーによる清算が行えるようになっていてもよい。
【００２５】
このように構成されたレジ部７０で清算を行うためには、まず、客は、購入する商品５をショッピングカート５０に載せてレジ部７０まで運ぶ。レジ部７０ではレジ装置７２がスタンバイ状態となっており、ショッピングカート５０が所定位置に止められた段階で、無線タグ情報の読取り・金額積算動作を開始する。
具体的には、レジ装置７２のＲＦＩＤリーダが駆動され、ショッピングカート５０に載せられた各商品５の無線タグ５ａの情報を、無線により一括して読み取り、上記したような金額の積算を行う。客は、次いで、ディスプレイに表示された積算金額を確認した上で、電子マネー情報が記憶された媒体（例えばＩＣカードや携帯電話機など）をレジ装置７２の所定位置にかざす。これにより、この媒体とレジ装置７２との間で非接触の通信が行われ、電子マネーによる清算が行われる。
【００２６】
本実施形態の店舗システム１における清算工程の概略は上記の通であり、このようにＲＦＩＤ技術により商品金額の積算が行われるものであるため、レジ部における清算が簡単に済むようになっている。本実施形態の店舗システム１では、さらに、以下に説明するようなショッピングカート５０が利用されるものであるため、清算や袋詰めといった作業のより一層の効率化が図られている。
【００２７】
以下、図２、図３を参照して、本発明に係るショッピングカート５０の具体的な構成について説明する。図２は、本実施形態のショッピングカートの一例を示す斜視図であり、図３はそのショッピングカートの一部（袋掛けラック部分）を拡大して示す斜視図である。
【００２８】
図２に示すように、ショッピングカート５０は、４つの車輪２９が取り付けられた枠状の下フレーム２８と、該下フレーム２８の側部から立ち上がるようにして設けられたポスト部２５と、該ポスト部２５の上部に水平に取り付けられた枠状の上フレーム１０とを備えている。ポスト部２５の上端には、ショッピングカート５０を押すための手押し部２０が設けられている。このショッピングカート５０の主たる特徴部は上フレーム１０の構造にあり、その他の構造部（下フレーム２８、ポスト部２５、及び手押し部２０等）については、この種のショッピングカートに一般的に用いられる種々の構成を採用することが可能である。
【００２９】
一例として、下フレーム２８は、ショッピングカート前方側に向かって幅が徐々に狭まるような台形のフレームであり、その４隅部に車輪２９が１つずつ取り付けられている。下フレーム２８には受け台２８ａが取り付けられており、これにより、下フレーム２８上に買い物カゴや、客の荷物を置くことができるようになっている。
【００３０】
ポスト部２５は、下フレーム２８の図示奥側の一辺から立ち上がるようにして設けられている。具体的には、下フレーム２８の隅部２箇所のそれぞれに立設された２本の支柱２６を有しており、これら支柱２６同士は幾つかの連結部材によって互いに連結され、これによりポスト２５全体としての剛性が確保されている。
各支柱２６の上端は、外側に向かってほぼ９０°に折り曲げられている。この折曲げ部の端部には客によって把持されるグリップ２１取り付けられており、これらグリップ２１を含めた部分が手押し部２０を構成している。
【００３１】
上フレーム１０は、長方形の枠状に形成され、ポスト部２５上部に水平に取り付けられている。図２では、この上フレーム１０の四辺をそれぞれ符号１０Ａ（短辺）、１０Ｂ（短辺）、１０Ｃ（長辺）で示している。上フレームの各長辺１０Ｃの中間位置と各支柱２６の中間位置との間には、それぞれ、補強バー２７が斜めに架け渡されており、これにより上フレーム１０の組み付けがしっかりしたものとなっている。
なお、上フレーム１０は、矩形断面の部材を折り曲げて構成することも可能であるし、あるいは円形断面のパイプ等を折り曲げて構成することも可能である。
【００３２】
上フレーム１０には、後述するレジ袋１０１（袋重ね合わせ体Ａ、図７等参照）を掛けるための袋掛けラックＲＡと、客が持ち込む袋・バッグ（以下、「マイバッグ」という）掛けるためのマイバッグラックＲＢが設けられている。袋掛けラックＲＡは上フレーム１０の前方側の辺１０Ａに設けられ、マイバッグラックＲＢは上フレーム１０の手押し部２０寄りの位置に設けられている。
【００３３】
図３に示すように、袋掛けラックＲＡは、上フレーム１０内側に向かって水平に延び出るようにしてフレーム内側に取り付けられた一対のアーム３８と、この一対のアーム３８の中間位置に設けられたフック３５とを有している。
フック３５は、一例としてステンレス製の丸棒であり、上フレーム１０の上面に上向きに突出した状態で設けられている。フック３５は、図７を参照して後述するように、レジ袋１０１の切り込み１１０が引っ掛けられる部材である。図３ではフック３５はまっすぐな部材として描かれているが、これに限らず、レジ袋１０１の抜けを防止するために、先端側がアーム３８の延出方向とは逆向き（上フレーム１０の外側に向かう方向）に曲げられていてもよい。
【００３４】
各アーム３８は、フック３５同様、ステンレス製の丸棒であり、図７を参照して後述するように、レジ袋１０１の把手１０６にそれぞれ設けられた切り込み１０９が引っ掛けられる部材である。レジ袋の抜けを防止するために、各アーム３８の先端側は上向きに所定角度（一例として９０°）で折り曲げられている。
【００３５】
次に、マイバッグラックＲＢについて図４を参照して説明する。
図４に示すようにマイバッグラックＲＢは、上フレームの各長辺１０Ｃの内側にそれぞれ取り付けられた一対のフック４１を備えている。各フック４１は、コ字型に曲げられた丸棒部材であり、具体的には、上フレーム１０から内側に向かって延び出す左右一対の延出部４１ａ、４１ｂと、該延出部４１ａ、４１ｂの端部同士を繋ぐ水平部４１ｃとからなる。各フック４１は、上フレーム１０から延び出した先端側が上向きとなるように、各延出部４１ａ、４１ｂの中間位置で折り曲げられている。このようにフック４１の先端側が上向きに折り曲げられていることで、客が持参したバッグ（マイバッグ）１６０をこのフック４１に良好に引っ掛けることができるようになっている。
【００３６】
図４（Ａ）に示すように、マイバッグ１６０は、その両側の把手がそれぞれ各フック４１に掛けられ、口部を大きく広げた状態で本実施形態のショッピングカート５０に保持される。客は、このように口部が大きく開けられたマイバッグを買い物ガゴとして利用することが可能である。
なお、マイバッグ１６０の形状を維持するため、あるいはマイバッグ１６０がマイバッグラックＲＢから外れて落下してしまうの防止するために、ショッピングカート５０に、図４（Ａ）に示すような、マイバッグの底部を支持する板状の受け部材１２が設けられていてもよい。
【００３７】
次に、上記袋掛けラックＲＡに引っ掛けて使用されるレジ袋１０１（およびそれが集合した袋重ね合わせ体Ａ）について説明する。
なお、この袋重ね合わせ体Ａの主たる特徴は、一枚のレジ袋１０１を引き出して切り離すと、後続するレジ袋１０１がその口部を大きく広げた状態で自動的にスタンバイされる点にある。
【００３８】
図５、図６に示すように、レジ袋１０１は、ポリエチレンシート材によって形成された所謂ポリ袋で、前壁１０２と、後壁１０３と、これら面壁１０２、１０３の左右両側端部間に介在するまち部１０４とからなる密閉袋の上端部の一部を、口部１０５として切り取ったものである。口部１０５の左右両側には把手１０６が形成され、各把手１０６は、袋の前面壁部分１０６ａと後壁側部分１０６ｂとが、袋周縁のシール部Ｓにおいて互いに接合された構成となっている。客は、この把手１０６に手を入れて袋１０１を持つことができる。
【００３９】
各把手１０６には、人の耳の形に似た形状に切り込まれた把手支持用の切り込み１０９が設けられている。また、口部１０５の底部には、図示上向きに突出する山形のタブ１０７が形成されている。各タブ１０７には、キノコの頭の形に似た形状に切り込まれるタブ支持用の切り込み１１０が設けられている。このタプ支持用の切り込み１１０の中央部上方にはタプ切り難し用の切り込み１２１が形成されている。この切り込み１２１は、タブ１０７の上端縁と切り込み１１０との間にそれぞれ約１ｍｍ程度残して形成されている。
【００４０】
上記のように構成された袋１０１は、図７に示すように複数枚が重ねられた状態（これを「袋重ね合わせ体Ａ」という）で使用される。重ねられた袋１０１同士は、袋１０１の所定箇所に形成された局部圧縮部Ｋにより互いに圧着されている。
【００４１】
局部圧縮部Ｋの形成について、以下、図８を参照して具体的に説明する。
まず、図８（Ａ）に示すように、所定枚数の袋１０１を重ね合わせる。この際、各袋１０１には前壁１０２及び後壁１０３のそれぞれの表面に、コロナ放電による表面処理が施される。これにより、袋１０１同士が互いに引っ付き易くなり、袋同士の重ね合せが良好に行われることとなる。
なお、このコロナ放電処理は、周知のコロナ放電装置を使用して実施可能である。このコロナ放電処理は袋１０１の内面には施されないため、袋１０１の前壁１０２と後壁１０３との内面同士が引っ付くようなことはない。
【００４２】
次いで、この袋１０１の重ね合わせ体に対し、図８（Ｂ）に示すような型押し手段１１１を用いて加圧を施す。型押し手段１１１は、先端部１１２が厚肉円筒状に形成されたパンチ１１３と、このパンチ１１３の下方に配置される基台１１５とからなる。パンチ１１３は、不図示の昇降駆動手段（例えば油圧シリンダ）により昇降駆動される。基台１１５は、例えば鉄板からなる。
【００４３】
パンチ１１３の寸法を例示すると、先端厚肉円筒部１１２の肉厚は１.７ｍｍであり、その内径（先端凹部１１２ｃの内径）は３．５ｍｍである。凹部１１２ｃの深さは３．０ｍｍである。また、図８（Ａ）からも明らかなように、厚肉円筒部１１２にはその先端部に角部ができないように、先端側が面取りされており、その面取り部が符号ｒで示されている。
【００４４】
局部圧縮部Ｋを形成するにあたっては、図８（Ｂ）に示すように、袋重ね合わせ体Ａを基台１１５上に載せ、この袋重ね合わせ体１１５に向けてパンチ１１３を下降させる。これにより袋重ね合わせ体Ａの一部がパンチ１１３と基台１１５とにより加圧挟持され、図８（Ｂ）、図８（Ｃ）に示すような局部圧縮部Ｋが形成され、袋１０１同士が圧着される。
なお、局部圧縮部Ｋは、熱融着などによって袋同士を接合するものではなく圧着作用により袋同士を固定するものであるため、比較的小さな力で１枚の袋１０１を重ね合せ体Ａから引き剥がすことが可能となっている。
【００４５】
再び図５を参照する。本実施形態では局部圧縮部Ｋは、各把手１０６の下端側所要部（切り込み１０９の直下）に１箇所ずつと、山形状タブ１０７に５箇所との計７箇所に形成されている。このように、局部圧縮部Ｋを左右各把手１０６と、タブ１０７とに形成することにより、各袋１０１の口部１０５側がバラバラにならず、袋重ね合わせ体Ａの形が安定して、保管や袋掛けラックへの支持が容易となる。
【００４６】
次に、こうして形成された袋重ね合わせ体Ａの使用方法について図９、図１０を参照して説明する。
図９（Ａ）は、図７と同じように、上記した袋掛けラックＲＡ（図３参照）に支持された袋重ね合わせ体を正面側から見た図あり、一番手前側の袋１０１は未開き状態となっている。
【００４７】
次いで、この図９（Ａ）に示す状態から、図９（Ｂ）に示すように袋重ね合わせ体Ａの一番手前側の袋１０１のタブ１０７を手Ｈで手前側に引っ張る。すると、フック３５に掛けられていたタブ１０７の上端部が切り込み１２１（図５参照）において引きちぎられる。これと共に、タブ１０７の各局部圧縮部Ｋが剥離し、手前側の袋１０１の前壁１０２が後壁１０３から引き離される。また、各把手１０６の局部圧縮部Ｋも同様にして剥離し、各把手１０６の前壁側部分１０６ａと後壁側部分１０６ｂとが引き離される。このようにして袋１０１を手間側に引っ張ることによって、各把手１０６が袋掛けラックＲＡのアーム３８に沿って手前側にスライドし、一番手前側の袋１０１が広がった状態（スタンバイ状態）となる。このように、把手１０６を支持アーム３８に引っ掛けた状態で、袋の口部１０５を大きく開かせることが可能となっているため、客は、この袋１０１の中に、購入する商品を入れていくことができる。
【００４８】
上記のように一番手前側の袋１０１の口部１０５を大きく広げた状態で商品を入れ、その状態でレジ部７０（図１参照）を通過することで、前述したような商品の清算が行われる。
清算が終了した後、客は、商品が入った一番手前側の袋１０１を、図１０（Ａ）に示すように手前側に引っ張って重ね合せ体Ａから引っぱり取ればよい。これについて詳細に説明すると、まず、袋１０１を引っ張ると、この袋１０１の奥側のタブ１０７側の局部圧縮部Ｋが、後続の袋１１０のタブ１０７の局部圧縮部Ｋから剥離する。この袋１０１をさらに引っ張ると、この袋１０１の後壁１０３が後続の袋１０１の前壁１０２から引き離されると共に、袋１０１の各把手１０６の後壁側部分１０６ｂの局部圧縮部Ｋが後続の袋１０１の前壁側部分１０６ａの局部圧縮部Ｋから剥離され、一番手前側の袋１０１が後続する袋１０１から切り離される。後続の袋１０１は、図１０（Ｂ）に示すように、口部１０５を大きく広げてスタンバイした状態となり、このスタンバイ状態の袋１０１が今度は一番手前側の袋となる。
【００４９】
上記のように、袋掛けラックＲＡに支持させた袋重ね合わせ体Ａによれば、一番手前側の袋１０１を、その口部１０５を大きく広げた状態でスタンバイさせることができ、このスタンバイ状態で袋１０１の中に商品を入れていくことが可能である。また、一番手前側の袋１０１を手前側に引っぱり取った後には、以降同様にして、後続する袋１０１が自動的に、口部１０５が広がったスタンバイ状態となる。したがって、次にショッピングカート等を利用する客が、袋１０１をわざわざ広げる必要もない。
【００５０】
以上説明したように、本実施形態のショッピングカート５０によれば、上フレーム１０に袋掛けラックＲＡが設けられているため、この袋掛けラックＲＡに図５〜図７を参照して説明したような袋重ね合わせ体Ａを引っ掛けてこれを使用することが可能である。この場合であっても、本実施形態の店舗システム１は図１を参照して説明した通りＲＦＩＤ技術を利用して商品の清算を行うものであるため、商品をショッピングカート５０に引っ掛けられたレジ袋１０１からいちいち出すことなく、そのままの状態で清算することが可能である。したがって、客は、清算終了後、清算済みの商品が入ったこのレジ袋１０１を、ショッピングカート５０（袋重ね合わせ体Ａ）から取り出してそのまま持ち帰ることができる。以上説明したような本発明の店舗システムによれば、レジにおける清算や袋詰めといった作業が大幅に効率化され、また、上述したようなショッピングカート５０は本発明の店舗システムに好適に利用することができる。
【００５１】
なお、上述したショッピングカート５０には、袋重ね合わせ体Ａを引っ掛けることができる袋掛けラックＲＡと、マイバッグを引っ掛けることができるマイバッグラックＲＢとの双方が備えられていたが、当然ながら、これらのうちいずれか一方だけであってもよい。
例えば、マイバッグラックＲＢのみを備えるショッピングカートであったとしても、本発明による作用効果は上記と同様に得ることができる。すなわち、マイバッグを買い物カゴ代わりに使用し、レジ部７０（図１参照）においてバッグから商品を出すことなくそのままの状態で清算を済ませ、その後、そのマイバッグをそのまま持ち帰ることが可能なためである。
【００５２】
（第２の実施形態）
図１１は、第２の実施形態に係るショッピングカートの構成を示す斜視図である。
本発明に係るこのショッピングカート５１は、上記第１の実施形態のショッピングカート５０のマイバッグラックＲＢ（図２参照）に替えて、上記袋掛けラックＲＡとは別のもう一つの袋掛けラックＲＡ’を設けたものである。
【００５３】
袋掛けラックＲＡ’は、図３を参照して説明した上記袋掛けラックＲＡと同様、上フレーム内側に向かって延び出した一対のアーム３８’と、この一対のアーム３８’の中間位置に設けられたフック３５’とを有している。各アーム３８’及びフック３５’そのものは、上述した図３のアーム３８及びフック３５と同様である。
ただし、図１１からも明らかななように、この袋掛けラックＲＡ’では、各アーム３８’がポスト部２５からショッピングカート５１の前方側に向かって延び出しているため、当然ながら、レジ袋１０１の切り離し方向（取り出し方向）は、上記袋掛けラックＲＡとは逆向きになる。
【００５４】
図１１の袋掛けラックＲＡ’では、各アーム３８’が、上フレーム１０の縁からさらに上向きに延び出した２本の支柱２６にそれぞれ設けられている。しかし、これに限らず、他方の袋掛けラックＲＡ同様、各アーム３８’が上フレーム１０の内側に取り付けられていてもよい。
また、前方側の袋掛けラックＲＡと、手押し部２０側の袋掛けラックＲＡ’とに、それぞれサイズの異なる袋重ね合わせ体Ａを引っ掛けることができるようになっていてもよい。このような構成によれば、客は、自分が購入する商品の量に応じてレジ袋１０１の大きさを選ぶことができるため、レジ袋１０１の無駄な消費が抑えられる。
【００５５】
（第３の実施形態）
図１２は、本発明に係る買い物カゴの構成を示す斜視図である。図１に示した本発明に係る店舗システム１においては、このような買い物カゴ６０を利用してスムーズな買い物を行うことも可能である。
【００５６】
図１２に示すように、本実施形態の買い物カゴ６０は、例えば樹脂成形品であり、底部６７と、この底部６７の周縁から立ち上がった周壁６３と、その周壁６３の上端で鍔状に形成された上縁部６５と、この上縁部６５に回動可能に取り付けられた一対の把手６２（図では一方のみを示す）とを備えている。
【００５７】
周壁６３は、前正面６３ａと、それに対向する向正面６３ｂと、これら２つの面６３ａ、６３ｂの両端同士を繋ぐ左右２つの側面６３ｃとで構成される。ただし、各側面６３ｃは、その高さ方向中間部分が大きく肉抜きされており、また、この肉抜き部分に連なって、前正面６３ａ、向正面６３ｂの左右両側も部分的に切り欠かれている。
【００５８】
周壁の向正面６３ｂの上端内側面には、図７を参照して説明した袋重ね合わせ体Ａを引っ掛けることが可能な袋掛けラックＲＣが取り付けられている。
この袋掛けラックＲＣは、図３の袋掛けラックＲＡ同様、内側に向かって水平に延び出した一対のアーム３８と、この一対のアーム３８の中間位置に上向きに設けられたフック３５とを有している。一対のアーム３８及びその中間のフック３５はいずれも、平板状の支持プレート３７（例えば金属製）に設けられている。支持プレート３７は、カシメやビス止めといった固定手段によりカゴの内周壁に取り付けられている。
【００５９】
周壁上端の上縁部６５のうち上記各アーム３８に近接する部位には、上縁部６５の高さを部分的に低くした（窪ませた）凹部６５ｃが１つずつ形成されている。この凹部６５ｃが形成されているため、客の手が各アーム３８に届き易くなっており、その結果、アーム３８からのレジ袋の取り外しを簡単に行うことができるようになっている。
【００６０】
上記のように構成された本実施形態の買い物カゴ６０においても、レジ袋を広げたままの状態で保持する袋掛けラックＲＣが設けられているため、第１の実施形態同様、レジ袋内に商品を入れたままの状態で清算を行い、その後、レジ袋をカゴから取り外してそのまま持ち帰ることが可能となり、レジにおける清算や袋詰めといった工程が大幅に効率化される。
【００６１】
（第４の実施形態）
図１３は、本発明に係る折畳み式バッグの一例を示す斜視図である。上述した本発明に係るショッピングカート５０（図２参照）のマイバッグラックＲＢには、このような折畳み式バッグ２６０を好適に引っ掛けることが可能である。
【００６２】
図１３に示すように、本実施形態の折畳み式バッグ２６０は、底部２６７と、この底部２６７の周縁から立ち上がった周壁２６３とを備え、この周壁の上部が大きく開口するバッグである。周壁２６３は、前正面２６３ａと、それに対向する向正面２６３ｂと、これら２つの面２６３ａ、２６３ｂの両端同士を繋ぐ左右２つの側面２６３ｃとで構成される。前正面２６３ａ及び向正面２６３ｂの上端には、紐状又は帯状の把手２６２が取り付けられている。折畳み式バッグ２６０の材質は特に限定されるものではないが、例えば布であってもよい。
【００６３】
図１３（Ａ）、（Ｃ）に示すように、この折畳み式バッグ２６０は、バッグを広げたときに底部２６７上に位置することで、バッグ底部の剛性を確保する底板２３０をさらに備えている。
底板２３０は、例えばボール紙等の芯材が布で覆われた比較的剛性のある板材であり、底部２６７のほぼ全域を覆う程度の大きさとされている。底板２３０は、その外周の一辺が、底部２６７と向正面２６３ｂとが交わる部分に取り付けられている。これにより、底板２３０は、底部２６７と向正面２６３ｂとが交わる稜線（回転軸２３１）周りに回動可能となっている。なお、底板２３０のバッグ内への取り付けは、例えば縫付けによってなされていてもよい。
【００６４】
このように構成された本実施形態の折畳み式バッグ２６０によれば、図１３（Ａ）、（Ｃ）に示すように、底板２３０を倒して底部２６７上に位置させた状態で使用することができる。すなわち、このようにして展開したバッグ２６０の各把手２６２を、上述したショッピングカート５０のマイバッグラックＲＢに引っ掛けることで、バッグ２６０は口を大きく広げた状態でショッピングカート５０に保持される。したがって、客は、持参したこのマイバッグ２６０をそのまま買い物カゴとして使用することができ、また、清算後には商品の詰め替えを要することなく、ショッピングカートからマイバッグを取り外してそのまま持ち帰ることが可能である。また、底板２３０の作用により袋低部の形が良好に維持されるため、商品を整頓しながら入れていくことも可能である。
【００６５】
この折畳み式バッグ２６０は、未使用時には、図１３（Ｂ）に示すように、側面２６３ｃの中央部がバッグ内側に向かって谷折りとなるような形態で折り畳むことが可能である。この状態では、底板２３０は向正面２６３ｂの内面に添う位置とされる。このように、本実施形態の構成によれば、底板２３０を向正面２６３ｂの内側面に沿わせることができるようになっているため、バッグをコンパクトに折り畳むことができる。
なお、バッグを展開する際には、前正面２６３ａと向正面２６３ｂとが互いに離れるようにバッグを広げると共に、底板２３０をバッグの展開方向（前正面２６３ａと向正面２６３ｂとが互いに離れる方向）に倒してバッグの底部２６７上に位置させればよい。
【００６６】
上記本実施形態の折畳み式バッグにおいては、底板２３０に替えて、図１４に示すような、バッグの形を規制するための底隅フレーム２４０が設けられていてもよい。この底隅フレーム２４０は、バッグの底部２６７の周縁の３辺に沿うようなコ字型の部材であり、具体的には、互いに平行をなす左右一対の短辺部２４１ａと、該側部２４１ａの端部同士を繋ぐ長辺部２４１ｂとからなる。それぞれの側部２４１ａの先端は底部２６７の隅部に取り付けられており、これにより底隅フレーム２４０が全体として、底部２６７と向正面２６３ｂとが交わる稜線（回転軸２３１）周りに回動するようになっている。
【００６７】
このように構成された図１４の折畳み式バッグ２７０によれば、バッグの展開時に底隅フレーム２４０を底部２６７上に倒した状態で、バッグ使用することが可能である。底隅フレーム２４０を底部２６７上に倒すと、この底隅フレームの作用によりバッグの形が規制されることとなる。すなわち、バッグ２７０は、その底部近傍が、フレーム２４０の長辺と短辺よりもやや大きめの長方形に規制されることとなる。そして、バッグの各壁は、その長方形の辺の上にほぼ直立する形態となる。このようにバッグの形が良好に維持されるということは、客が、商品をこのバッグ内に整頓しながら入れていくことができることを意味する。
【００６８】
（第５の実施形態）
本発明に係る折畳み式バッグは、図１５〜図１７に示すようなものであってもよい。図１５は、本発明に係る折畳み式バッグの他の一例を示す斜視図であり、図１６（Ａ）、（Ｂ）はそれぞれその折畳み式バッグの展開時及び折畳み時の平面図であり、図１７は図１６（Ａ）の状態の縦断面図である。
【００６９】
本実施形態の折畳み式バッグ２８０は、図１５に示すように、上述した図１３のようなバッグ２６０が３つ連なったような構成となっている。すなわち、それぞれが折畳み可能な３つのバッグ２６０Ａ、２６０Ｂ、２６０Ｃが、互いの壁面同士を付き合わせるようにして、袋の展開方向の３つ並んで連結されたような構成となっている。正確には、この折畳み式バッグ２８０は、独立した３つのバッグ２６０Ａ、２６０Ｂ、２６０Ｃを連結したものではなく、比較的長細い枠状に形成された周壁２８３の内部を２つの仕切り壁２８７Ａ、２８７Ｂで仕切ることで３つの収容空間を構成するようにしたものである。
【００７０】
周壁２８３の上端には、この折畳み式バッグ２８０全体を持ち上げるための把手２８２が、図示一番奥側のバッグ２６０Ａとそれより１つ手前にあるバッグ２６０Ｂにまたがるようにして取り付けられている。
周壁２８３の前正面２８３ａ（図示手前側の壁面）及び向正面２８３ｂ（図示奥側の壁面）のそれぞれには、上端寄りの位置に、金属製リングで補強されたフック孔２８９Ａ、２８９Ｂが一対ずつ設けられている。
【００７１】
このバッグ２８０を、例えば図２に示したようなショッピングカート５０に取り付ける場合、手前側の一対のフック孔２８９Ｂをカート側の袋掛けラックＲＡ（図２参照）に引っ掛けると共に、バッグ２８０の把手２８２のそれぞれを、カート側のマイバッグラックＲＢに引っ掛ければよい。
一方、このバッグ２８０を、図３に示したようなショッピングカート５１に取り付ける場合、バッグ２８０の手前側の一対のフック孔２８９Ｂをカート側の袋掛けラックＲＡ（図２参照）に引っ掛けると共に、奥側の一対のフック孔２８９Ａをカート側の別の袋掛けラックＲＡ’に引っ掛ければよい。
【００７２】
本実施形態の折畳み式バッグ２８０も、上述した折畳み式バッグ（図１３参照）と同様、各バッグ２６０Ａ、２６０Ｂ、２６０Ｃの内部に底板２３０Ａ、２３０Ｂ、２３０Ｃが１枚ずつ設けられている。図１７に示すように、これらの底板２３０Ａ〜２３０Ｂは、図１３に示した底板２３０と同様、バッグ２８０の展開時には各バッグ２６０Ａ〜２６０Ｃ内の底部上に倒されるようになっている。このように各バッグの底部を補強するための底板２３０Ａ〜２３０Ｃが設けられているので、バッグの底部が型崩しにくく、したがって、商品を整頓しながら入れていき易いものとなっている。各底板２３０Ａ〜２３０Ｃの大きさは、各バッグ２６０Ａ〜２６０Ｃのそれぞれの底部の全面を覆うことができる程度となっている。
【００７３】
バッグ２８０の折り畳み時には、図１６（Ｂ）に示すように、各底板２３０Ａ〜２３０Ｃは、各バッグ２６０Ａ〜２６０Ｃの壁面の内側に添うように持ち上げられる。
【００７４】
（第６の実施形態）
本発明に係る折畳み式バッグはさらに、図１８、図１９に示すようなものであってもよい。図１８は、本発明に係る折畳み式バッグのさらに他の一例を示す斜視図であり、図１９はそのバッグが折り畳まれた状態を示している。
【００７５】
本実施形態の折畳み式バッグ２９０は、図１８に示すように、底部２９７と、その底部２９７の周縁から立ち上がった周壁２９３とを備え、バッグの内側に下記するような折畳み式フレーム（コ字型フレーム片２５１等）が設けられたものである。周壁２９３は、前正面２９３ａと、それに対向する向正面２９３ｂと、これら２つの面２９３ａ、２９３ｂの両端同士を繋ぐ左右２つの側面２９３ｃとで構成される。
【００７６】
前正面２９３ａ及び向正面２９３ｂのそれぞれの内側面には、略コ字状に形成されたコ字型フレーム片２５１が１つずつ取り付けられている。このコ字型フレーム片２５１は、具体的には、互いに平行をなす左右一対の立上り部２５１ａと、該立上り部２５１ａの端部同士を繋ぐと共に袋の上縁に沿って水平に延在する水平部２５１ｃとからなる。水平部２５１ｃのほぼ中央は、上向きに突出するように部分的に屈曲されており、この部分が把手部となっている。コ字型フレーム片２５１の各立上り部２５１ａの下端は、バッグ底部の４つの下隅部にそれぞれ位置している。
【００７７】
一方のコ字型フレーム片２５１の立上り部２５１ａの下端と、それに対向する、他方のコ字型フレーム片２５１の立上り部２５１ａの下端とは、ヒンジ式の底隅片２５３よって連結されている。底隅片２５３は、互いに連結された一対の連結部材２５３Ａ、２５３Ｂで構成され、連結部材２５３Ａ、２５３Ｂの各端部が、一方の立上り部２５１ａの下端及び他方の立上り部２５１ａの下端にそれぞれ回動可能に連結されている。
【００７８】
このように構成された本実施形態の折畳み式バッグ２９０では、図１８に示すようにバッグを展開させ、コ字型フレーム片２５１の水平部２５１ｃの中央に設けられた把手部を、上述した本発明に係るショッピングカート５０（図２参照）のマイバッグラックＲＢに引っ掛けて使用することができる。バッグ内側に設けられたコ字型フレーム片やヒンジの作用により、ショッピングカート５０に引っ掛けられた状態においてもこのバッグ２９０の形は、図１４の例のバッグと同様に良好に維持される。そのため、客は、商品をこのバッグ内に整頓しながら入れていくことができる。
一方、バッグの折畳み時には、図１９に示すように、底隅片２５３の中央部がバッグの内側（図示上方）に向かって２つ折りとなるのでコンパクトに収容できるようになっている。
【図面の簡単な説明】
【００７９】
【図１】本発明に係る店舗システムの一例を示す模式図である。
【図２】本発明に係るショッピングカートの一例を示す斜視図である。
【図３】図２のショッピングカートの一部（袋掛けラック部分）を拡大して示す斜視図である。
【図４】図２のショッピングカートの一部（マイバッグラック部分）を拡大して示す斜視図である。
【図５】図２のショッピングカートに引っ掛けて使用することが可能な包装袋の一例を示す平面図である。
【図６】図５の包装袋を斜方向から見た斜視図である。
【図７】図５の包装袋が複数枚集合した袋重ね合わせ体を示す斜視図である。
【図８】袋重ね合わせ体の断面構成を示すと共に、その製造方法の一例を示す縦断面図である。
【図９】図８の袋重ね合わせ体の使用方法を説明するための図であり、袋掛けラックに支持された袋重ね合わせ体を正面側から見た斜視図である。
【図１０】図８の袋重ね合わせ体の使用方法を説明するための図であり、袋掛けラックに支持された袋重ね合わせ体を正面側から見た斜視図である。
【図１１】本発明に係るショッピングカートの他の一例を示す斜視図である。
【図１２】本発明に係る買い物カゴの一例を示す斜視図である。
【図１３】本発明に係る折畳み式バッグの一例を示す斜視図である。
【図１４】図１３の折畳式バッグの変形例を示す斜視図である。
【図１５】本発明に係る折畳み式バッグの他の一例を示す斜視図である。
【図１６】図１５の折畳み式バッグを上面側から見た平面図であり、図１６（Ａ）はバッグの展開時を示し、図１６（Ｂ）はバッグの折畳み時を示している。
【図１７】図１５の折畳み式バッグの縦断面図である。
【図１８】本発明に係る折畳み式バッグのさらに他の一例を示す斜視図である。
【図１９】図１８の折畳み式バッグの折畳み時を示す斜視図である。
【符号の説明】
【００８０】
１  店舗システム                          ５  商品
５ａ  無線タグ                            ８  商品棚
１０  上フレーム                          １２  受け部材
２０  手押し部                            ２１  グリップ
２５  ポスト部                            ２６  支柱
２７  補強バー                            ２８  下フレーム
２９  車輪                                ３５、３５’  フック
３８  アーム                              ４１  フック
５０  ショッピングカート                  ６０  買い物カゴ
６２  把手                                ６３  周壁
６５  上縁部                              ６５ｃ  凹部
６７  底部                                ７０  レジ部
７１  レジ台                              ７２  レジ装置
１０１  レジ袋                            １０２  前壁
１０３  後壁                              １０４  まち部
１０５  口部                              １０６  把手
１０７  タブ                              １０９  切り込み
１１１  型押し手段                        １１３  パンチ
１１５  基台                              １２１  切り込み
１１３  パンチ                            １６０  マイバッグ
２６０、２７０、２８０、２９０  折畳み式バッグ
２３０  底板                              ２４０  底隅フレーム
２５１  コ字型フレーム片                  ２５３  底隅片
２６２、２８２  把手                      ２６３、２８３、２９３  周壁
２６３ａ、２８３ａ、２９３ａ  前正面      ２６３ｂ、２８３ｂ、２９３ｂ  向正面
２６３ｃ、２９３ｃ  側面                  ２６７、２９７  底部
２８７Ａ、Ｂ  仕切り壁                    ２８９Ａ、Ｂ  フック孔
Ａ  袋重ね合せ体                          Ｋ  局部圧縮部
ＲＡ、ＲＡ’、ＲＣ  袋掛けラック          ＲＢ  マイバッグラック
【図１】
2007323453.tif 000003
【図２】
2007323453.tif 000004
【図３】
2007323453.tif 000005
【図４】
2007323453.tif 000006
【図５】
2007323453.tif 000007
【図６】
2007323453.tif 000008
【図７】
2007323453.tif 000009
【図８】
2007323453.tif 000010
【図９】
2007323453.tif 000011
【図１０】
2007323453.tif 000012
【図１１】
2007323453.tif 000013
【図１２】
2007323453.tif 000014
【図１３】
2007323453.tif 000015
【図１４】
2007323453.tif 000016
【図１５】
2007323453.tif 000017
【図１６】
2007323453.tif 000018
【図１７】
2007323453.tif 000019
【図１８】
2007323453.tif 000020
【図１９】
2007323453.tif 000021